(57)【特許請求の範囲】
【請求項１】
支持体に設定した第１支点を中心として回転のみできるように該支持体に支持させて、通常使用姿勢と後傾使用姿勢との間でロッキング動作するように構成した背と、前記第１支点から偏位した部位に設定した第２支点を中心として回転のみできるように前記支持体に支持させた座とを具備してなり、
前記背の第１支点から偏位した部分と、前記座の第２支点から偏位した部分とを互いに回転のみできるように結合する結合点を設けて、前記背のロッキング動作に伴わせて座が移動するように構成するとともに、
前記第１支点及び前記第２支点を結んだ仮想思案線と前記結合点との距離が前記ロッキング動作に伴って変動することにより生じる第１支点、第２支点、又は前記結合点間の相対距離変動を、背、座又は支持体を構成する部材の伸縮やたわみ等による弾性変形を利用して吸収するように構成し、
前記通常使用姿勢において、背、座又は支持体を構成する部材に伸縮やたわみなどによる弾性変形が生じるようにするとともに、前記後傾使用姿勢或いはその近傍において、座又は支持体を構成する部材に前記弾性変形による応力が作用しないように構成したことを特徴とする椅子。
【請求項２】
支持体において第２支点を第１支点よりも前方であって略水平な位置に設定するとともに、前記背の第１支点よりも前方に延びる部分と、前記座の第２支点よりも後方に延びる部分とを互いに略回転のみできるように結合し、この結合点を前記背のロッキング動作に伴わせて上下動させることにより、座の後部が上下動するように構成したことを特徴とする請求項１記載の椅子。
【請求項３】
支持体に設定した第１支点を中心として回転のみできるように該支持体に支持させて、通常使用姿勢と後傾使用姿勢との間でロッキング動作するように構成した背と、前記第１支点から偏位した部位に設定した第２支点を中心として回転のみできるように前記支持体に支持させた座とを具備してなり、前記背の第１支点から偏位した部分と、前記座の第２支点から偏位した部分とを互いに回転のみできるように結合する結合点を設けて、前記背のロッキング動作に伴わせて座が移動するように構成するとともに、
前記第１支点及び前記第２支点を結んだ仮想思案線と前記結合点との距離が前記ロッキング動作に伴って変動することにより生じる第１支点、第２支点、又は前記結合点間の相対距離変動を、背、座又は支持体を構成する部材の伸縮やたわみ等による弾性変形を利用して吸収するように構成し、
支持体において第２支点を第１支点よりも前方であって略水平な位置に設定するとともに、前記背の第１支点よりも前方に延びる部分と、前記座の第２支点よりも後方に延びる部分とを互いに回転のみできるように結合し、この結合点を前記背のロッキング動作に伴わせて上下動させることにより、座の後部が上下動するように構成したことを特徴とする椅子。
【請求項４】
前記ロッキング動作に伴う結合点の移動が、前記仮想思案線で区成されるいずれか一方の領域のみで行われるものである請求項１、２又は３記載の椅子。
【請求項５】
前記後傾使用姿勢にした状態では、結合点が前記仮想思案線上に位置し且つ背、座又は支持体を構成する部材に応力が作用しないように設定し、前記通常使用姿勢側に動かすことにより前記結合点が前記仮想思案線から最も遠ざかるように設定することによって、前記通常使用姿勢側に動かすことにより前記部材の変形が増大するように構成している請求項４記載の椅子。
【請求項６】
前記ロッキング動作に伴う結合点の移動が、第１支点と第２支点とを結んだ仮想思案線に跨って行われるものである請求項１、２又は３記載の椅子。
【請求項７】
後傾使用姿勢となる近傍で結合点が前記仮想思案線を越えるように構成している請求項６記載の椅子。
【請求項８】
弾性体の弾性復帰力を利用して、外力の加わらない状態では、背が通常使用姿勢に維持されるように構成している請求項１乃至７の何れかに記載の椅子。
【発明の詳細な説明】
【０００１】
【発明の属する技術分野】
本発明は、背のロッキング動作に伴って座が移動するように構成した椅子に関する。
【０００２】
【従来の技術】
従来のこの種の椅子として、背や座あるいはこれらを支持する支持体同士を、互いに回転やスライド可能に連結したり、リンク機構等を介在させて連結したりして、背のロッキング動作に応じて座が移動するようにしたものが知られている。
【０００３】
しかして、この種の椅子としては種々の構成が考えられているが、その目的は、例えば、座を固定して背のみをロッキング動作するようにした構成では、座と背との位置関係が変わることにより、着座者のシャツがめくれあがるので、かかる不具合を解決することや、ロッキング動作のために必要な力を着座者の体重により変化させるといった体重感知機能を具備させること等である。
【０００４】
【発明が解決しようとする課題】
ところが、このように可動部分を有する構造であると、その可動部分においてがたが生じやすく、座り心地に影響が生じたり、高級感を欠いたりする場合がある。しかして、このがたを軽減すべく、前記可動部分における加工、組立精度を向上させたり、がた軽減機構等を設けたりしたのでは、コスト的に極めて不利なものとなる。
【０００５】
【課題を解決するための手段】
本発明は、このような不具合に鑑み、椅子の支持体に回転のみ可能に連結した背と、同支持体に回転のみ可能に連結した座とを、回転のみ可能に連結して、これら背、座及び支持体の撓み等を利用して、背のロッキング動作と座の移動動作を連動させることとしたものである。
【０００６】
【発明の実施の形態】
すなわち、本発明にかかる椅子は、支持体に設定した第１支点を中心として回転のみできるように該支持体に支持させて、通常使用姿勢と後傾使用姿勢との間でロッキング動作するように構成した背と、前記第１支点から偏位した部位に設定した第２支点を中心として回転のみできるように前記支持体に支持させた座とを具備してなり、前記背の第１支点から偏位した部分と、前記座の第２支点から偏位した部分とを互いに回転のみできるように結合する結合点を設けて、前記背のロッキング動作に伴わせて座が移動するように構成するとともに、前記第１支点及び前記第２支点を結んだ仮想思案線と前記結合点との距離が前記ロッキング動作に伴って変動することにより生じる第１支点、第２支点、又は前記結合点間の相対距離変動を、背、座又は支持体を構成する部材の伸縮やたわみ等による弾性変形を利用して吸収するように構成し、前記通常使用姿勢において、背、座又は支持体を構成する部材に伸縮やたわみなどによる弾性変形が生じるようにするとともに、前記後傾使用姿勢或いはその近傍において、座又は支持体を構成する部材に前記弾性変形による応力が作用しないように構成したことを特徴とする。
【０００７】
また、本発明に係る椅子は、支持体に設定した第１支点を中心として回転のみできるように該支持体に支持させて、通常使用姿勢と後傾使用姿勢との間でロッキング動作するように構成した背と、前記第１支点から偏位した部位に設定した第２支点を中心として回転のみできるように前記支持体に支持させた座とを具備してなり、前記背の第１支点から偏位した部分と、前記座の第２支点から偏位した部分とを互いに回転のみできるように結合する結合点を設けて、前記背のロッキング動作に伴わせて座が移動するように構成するとともに、前記第１支点及び前記第２支点を結んだ仮想思案線と前記結合点との距離が前記ロッキング動作に伴って変動することにより生じる第１支点、第２支点、又は前記結合点間の相対距離変動を、背、座又は支持体を構成する部材の伸縮やたわみ等による弾性変形を利用して吸収するように構成したことを前提としている。
なお、本明細書において「略回転のみ」とは、物理的に完全に回転のみ、という意味の他、回転のみできることを目的として設計されているが、実際の加工精度や誤差等により、若干のがた等を生じる場合をも含む概念である。したがって、長孔に軸を通すというように、元々回転とスライドとを兼ねたような動きができることを目的として設計されたものは除かれる。
【０００８】
このようなものであれば、例え加工誤差等により第１支点、第２支点、又は結合点に若干のがた等があったとしても、そのがたに起因して背や座ががたつくのは通常使用姿勢と後傾使用姿勢との間のいずれかの姿勢状態においてのみであり、その他の全ての姿勢においては、ロッキング動作に伴う前記各点の相対位置変動に伴って、これら各点において連結されている部材に応力が作用する際に、そのがたを完全に消滅させることができる。しかも、そのがたの生じ得る姿勢を設計段階において、がたが生じてもほとんど気にならない姿勢（例えば後傾使用姿勢）に設定することができる。したがって、加工精度を向上させたりがた軽減機構等を設けたりしなくとも、極めて簡単な構成で、がたを事実上消滅させることができることとなる。
【０００９】
着座者の体重に応じて、背を後傾させるために必要な力を大きくするという体重感知機能を具備させるとともに、その際の背のロッキング動作を、最も効率よく座の後部の上下動動作に変換するためには、支持体において第２支点を第１支点よりも前方であって略水平な位置に設定するとともに、前記背の第１支点よりも前方に延びる部分と、前記座の第２支点よりも後方に延びる部分とを互いに略回転のみできるように結合し、この結合点を前記背のロッキング動作に伴わせて上下動させることにより、座の後部が上下動するように構成しておくことが好ましい。
【００１０】
ロッキング動作をスムーズなものにするには、前記ロッキング動作に伴う結合点の移動が、第１支点と第２支点とを結んだ仮想思案線で区成されるいずれか一方の領域のみで行われるようにしておくことが望ましい。結合点が仮想思案線を超えることがないためである。座り心地や高級感に与えるがたの影響を最小にとどめるとともに、搬送時における利便性を向上させるには、前記後傾使用姿勢にした状態では、結合点が前記仮想思案線上に位置し且つ背、座又は支持体を構成する部材に応力が作用しないように設定し、前記通常使用姿勢側に動かすことにより前記結合点が前記仮想思案線から最も遠ざかるように設定することによって、前記通常使用姿勢側に動かすことにより前記部材の変形が増大するように構成しておくことが望ましい。
【００１１】
一方、前記ロッキング動作に伴う結合点の移動が、第１支点と第２支点とを結んだ仮想思案線に跨って行われるようにしておけば、結合点がこの仮想思案線を跨ぐときに背が着座者に与えるクリック感を利用して、種々の効果を得ることができる。例えば、背が移動端に達したことを着座者に確実に知らしめ、着座者に安心感等を与えるためには、後傾使用姿勢となる近傍で結合点が前記仮想思案線を越えるように構成しておけばよい。
【００１２】
具体的な実施態様としては、弾性体の弾性復帰力を利用して、外力の加わらない状態では、背が通常使用姿勢に維持されるように構成したものが挙げられる。
【００１３】
【実施例】
以下、本発明の一実施例を、図面を参照して説明する。
本実施例に係る椅子は、支持体たる脚体１に背２及び座３を支持させてなるものであって、その背２をロッキング動作可能に構成したものである。
脚体１は、例えば、４本の脚１１、１１、１２、１２、横架材１３及び背座支持部材５を具備してなる。具体的には、左前脚１１と左後脚１２、及び右前脚１１と右後脚１２をそれらの上端部においてそれぞれ一体に連結し、これら連結した左右前後脚１１、１１、１２、１２を上端部において横架材１３を介して連結して自立性のある構造体を構成している。そしてこの横架材１３に、平面視概略矩形状の底板５１とこの底板５１の各側縁から一体に起立させた側板５２とを具備する背座支持部材５を溶接等により固定している。
【００１４】
背２は、背座支持部材５に支持される左右一対の背支桿６と、これら背支桿６に固定され、背もたれ面を形成する背本体２１とを具備するものである。背支桿６は、リンク部６２とこのリンク部６２の後端から上方に向かって湾曲しつつ延びる本体部６１とを一体に具備するもので、そのリンク部６２の基端部分を、背座支持部材５の側板５２後部に設定した第１支点Ｘ１に水平軸周りに略回転のみ可能に連結することにより、前記背座支持部材５に、この背２を、前記第１支点Ｘ１を中心に所定の通常使用姿勢Ｐ及び後傾使用姿勢Ｑの間でロッキング動作可能に支持させている。より具体的には、左右各リンク部６２を、左右各側板５２の外側方にそれぞれ配置し、これら左右のリンク部６２及び側板５２に、例えば１本の水平支軸Ｓ１を左右に貫通させることにより、リンク部６２と側板５２とを連結するようにしている。なお、側板５２とリンク部６２の結合を左右それぞれ別個の連結軸で行ってもよいのは言うまでもない。しかして、この水平支軸Ｓ１の側板５２間に挟まれる部分には、スペーサＳＰを介して、ねじりコイルばね９が巻きつけてあり、このねじりコイルばね９の一端を底板５１に当て、他端をリンク部６２間に横架した補強材６３に当てることにより、そのねじりコイルばね９の弾性復帰力によって、外力が加わらない状態では、背２が通常使用姿勢Ｐに維持されるように構成している。なお、ロッキング動作が、通常使用姿勢Ｐ及び後傾使用姿勢Ｑを超えて行われないように、ストッパ等を有する図示しない規制機構を設けている。
【００１５】
座３は、背座支持部材５に支持される座受部材８と、この座受部材８に固定され着座面を形成する座本体３１とを具備するものである。座受部材８は、矩形板状の座受本体８３と、この座受本体８３の各側縁部から垂下させたブラケット部８２、８２とを具備する。しかして、座受本体８３の側縁部前側から垂下させたブラケット部８２を、背座支持部材５の側板５２前部に設定した第２支点Ｘ２において、水平軸周りに略回転のみ可能に連結してある。より具体的には、左右各ブラケット部８２を、左右各側板５２の内側方にそれぞれ配置し、これら左右のブラケット部８２及び側板５２に、１本の水平支軸Ｓ２を左右に貫通させることにより、ブラケット部８２と側板５２とを連結するようにしている。なお、この第２支点Ｘ２は、第１支点Ｘ１と略同一高さ（本実施例では第１支点Ｘ１よりも若干上方）となる位置に設定してある。また、側板５２とブラケット部８２との結合を左右それぞれ別個の連結軸で行ってもよいのは言うまでもない。
【００１６】
しかして、本実施例では、前記リンク部６２の先端部分と、座受本体８３の側縁部後側から垂下させたブラケット部８１とを、水平な連結軸Ｓ３を介して、第１支点Ｘ１と第２支点Ｘ２との間において、相互に略回転のみ可能に連結している。
ここで、結合点Ｘ３、第１支点Ｘ１及び第２支点Ｘ２は３角形又は直線を形成し、なおかつこれら３点Ｘ１、Ｘ２、Ｘ３間を、背支桿６、座受部材８、及び背座支持部材５によって連結しているため、結合点Ｘ３が移動することによる前記３点Ｘ１、Ｘ２、Ｘ３間の距離変動を吸収できず、一見この結合点Ｘ３は移動不可能なように見える。しかしながら、本実施例では、現実的には前記背支桿６のリンク部６２、座受部材８、または背座支持部材５の若干のたわみや伸縮等の弾性変形が生じることを利用して、この結合点Ｘ３を背２のロッキング動作に伴わせて上下動させ、それに応じて座３の後部が上下動するようにしている。
【００１７】
詳述すれば、背２を通常使用姿勢Ｐにした状態では、結合点Ｘ３が、第１支点Ｘ１と第２支点Ｘ２とを結ぶ仮想思案線Ｍよりも側方視下方に位置するように設定し、座３がその後部を最も沈めた姿勢となるようにしている。また、背２を後傾使用姿勢Ｑにした状態では、結合点Ｘ３が、側方視、前記仮想思案線Ｍ上に位置するように設定し、座３がその後部を最も上げて略水平姿勢となるようにしている。なお、このような設定は、着座者の体重が増大するほど、背２を後傾させるために必要な力が大きくなるという体重感知機能を具備させるためのものである。
【００１８】
さらに、本実施例では、後傾使用姿勢Ｑにおいては、背支桿６のリンク部６２、座受部材８、及び背座支持部材５に応力が作用しないようにし、ねじりコイルばね９の弾性復帰力により維持される通常使用姿勢Ｐにおいて、前記各部材６２、８、５にたわみや伸縮等の弾性変形が最も多く生じるようにしている。この場合であれば、リンク部６２と座受部材８とに伸張力による変形が生じ得、背座支持部材５に圧縮力による変形が生じ得る。
【００１９】
したがって、このように構成した本実施例によれば、例え加工誤差等により第１支点Ｘ１、第２支点Ｘ２、又は結合点Ｘ３に若干のがた等があったとしても、そのがたに起因して背２や座３ががたつくのは、後傾使用姿勢Ｑ状態においてのみであり、その他の全ての姿勢においては、ロッキング動作に伴う前記各点Ｘ１、Ｘ２、Ｘ３の相対位置変動に伴って、これら各点Ｘ１、Ｘ２、Ｘ３において連結されている部材に応力が作用する際に、そのがたが完全に消滅することとなる。しかも、後傾使用姿勢Ｑにおいては、通常、着座者が背２及び座３に体重を預けて椅子には一定方向のみに荷重が作用している状態であると考えられるため、前記がたは、ほとんど気にならない。したがって、加工精度を向上させたりがた軽減機構等を設けたりしなくとも、極めて簡単な構成で、がたを事実上消滅させることができることとなる。
【００２０】
かかる効果は、座り心地や高級感の向上に寄与する他、搬送時の利便性や製品寿命の増大にも貢献する。すなわち、搬送時には椅子は通常使用姿勢であるが、この時がたが生じないので、搬送に極めて好適なものとなる。また、がたつく時には、椅子の構成部品同士が衝突するわけであるが、これを避けられるので製品寿命にも好影響を与えることとなる。
【００２１】
なお、本発明は上記実施例に限られるものではない。例えば、前記ロッキング動作に伴う結合点の移動が、第１支点と第２支点とを結んだ仮想思案線より上方領域のみで行われるようにしてもよい。しかしてこの場合に、通常使用姿勢において最も部材の変形が大きくなるように設定したとすると、リンク部と座受部材とに伸張力による変形が生じ得、背座支持部材に圧縮力による変形が生じ得る。
【００２２】
また、前記ロッキング動作に伴う結合点の移動が、第１支点と第２支点とを結んだ仮想思案線を跨って行われるようにしてもよい。この場合には、通常使用姿勢又は後傾使用姿勢となる近傍で結合点が前記仮想思案線を越えるように構成しておくことがより好ましい。結合点がこの仮想思案線を超えた時に、着座者は、背からクリック感ともいうべき動きを感じ取ることができるので、それが、通常使用姿勢又は後傾使用姿勢付近で生じることにより、背が移動端に達したことを確実に知ることができ、着座者に安心感等を与えることが可能になるからである。
【００２３】
さらに、本発明は座が水平旋回可能なものや、ビーム上に背座を複数配列したものに適用しても同様の作用効果を奏し得る。
その他各部の具体的な構成は、上述した実施例に限定されるものではなく、本発明の趣旨を逸脱しない範囲で種々変形が可能である。
【００２４】
【発明の効果】
以上に詳述したように、本発明によれば、例え加工誤差等により第１支点、第２支点、又は結合点に若干のがた等があったとしても、そのがたに起因して背や座ががたつくのは通常使用姿勢と後傾使用姿勢との間のいずれかの姿勢状態においてのみであり、その他の全ての姿勢においては、ロッキング動作に伴う前記各点の相対位置変動に伴って、これら各点において連結されている部材に応力が作用する際に、そのがたは完全に消滅する。しかも、そのがたの生じ得る姿勢を設計段階において、がたが生じてもほとんど気にならない姿勢（例えば後傾使用姿勢）に設定することができる。したがって、加工精度を向上させたり、がた軽減機構等を設けたりしなくとも、極めて簡単な構成で、がたを事実上消滅させることができることとなる。
【００２５】
脚体において第２支点を第１支点よりも前方であって略水平な位置に設定するとともに、前記背の第１支点よりも前方に延びる部分と、前記座の第２支点よりも後方に延びる部分とを互いに略回転のみできるように結合し、この結合点を前記背のロッキング動作に伴わせて上下動させることにより、座の後部が上下動するように構成しておけば、着座者の体重に応じて、背を後傾させるために必要な力が大きくなるという体重感知機能を具備させることができる。またその際の背のロッキング動作を、最も効率よく座の後部の上下動動作に変換することができる。
【００２６】
前記ロッキング動作に伴う結合点の移動が、第１支点と第２支点とを結んだ仮想思案線で区成されるいずれか一方の領域のみで行われるようにしておけば、結合点が仮想思案線を超えることがないため、ロッキング動作をスムーズなものにできる。
通常使用姿勢側に動かすことにより前記部材の変形が増大するように構成しておけば、がたが生じ得る姿勢は後傾使用姿勢ということになる。しかして、この後傾使用姿勢では、背が遥動するのは当然であり、また着座者が背及び座に体重を預けて椅子には一定方向のみに荷重が作用している状態であると考えられるため、座り心地に与えるがたの影響を最小にとどめることができる。また、搬送時には椅子を通常使用姿勢にするが、この時がたが生じないので、搬送に極めて好適なものとなる。
【００２７】
前記ロッキング動作に伴う結合点の移動が、第１支点と第２支点とを結んだ仮想思案線に跨って行われるものであれば、この仮想思案線を跨ぐときに背が着座者に与えるクリック感を利用して、種々の効果を得られる。例えば、通常使用姿勢又は後傾使用姿勢となる近傍で結合点が前記仮想思案線を越えるように構成しておくことにより、背が移動端に達したことを確実に知ることができ、着座者に安心感等を与えること等が可能になる。
【００２８】
弾性体の弾性復帰力を利用して、外力の加わらない状態では、背が通常使用姿勢に維持されるように構成しておけば、特に通常使用姿勢側に動かすことにより前記部材の変形が増大するようにした構成と組み合わせることにより、本発明の効果をより顕著に奏させることができる。
【図面の簡単な説明】
【図１】本発明の一実施例における椅子を示す全体斜視図。
【図２】同実施例における椅子の内部構造を示す斜視図。
【図３】同実施例における椅子の内部構造を示す分解斜視図。
【図４】同実施例における椅子の内部構造を示す側面図。
【図５】同実施例における椅子の内部構造を示す平断面図。
【図６】同実施例における椅子の内部構造を示す側面図。
【符号の説明】
１…脚体
２…背
３…座
９…弾性体（ねじりコイルばね）
Ｘ１…第１支点
Ｘ２…第２支点
Ｘ３…結合点
Ｐ…通常使用姿勢
Ｑ…後傾使用姿勢
Ｍ…仮想思案線
【図１】
0003752581.tif 000002
【図２】
0003752581.tif 000003
【図３】
0003752581.tif 000004
【図４】
0003752581.tif 000005
【図５】
0003752581.tif 000006
【図６】
0003752581.tif 000007